(57)【要約】【課題】  簡易な構成で携帯に便利となり、適切な情報提供をすることができるゴルフ支援装置を提供すること【解決手段】  ゴルフコースのホールレイアウトを提示する情報提示手段（紙）と、情報提示手段で提示されるホールレイアウトに対応するホール情報として少なくともティーグランドからカップまでの距離情報を記憶するホール情報記憶手段と、その情報提示手段で提示された前記ホールレイアウトを見て決定する使用するクラブ種を指定するクラブ種入力手段と、ゴルフクラブのスイングに伴い移動するゴルフボールやクラブヘッドのスピードを計測するスピード計測手段と、クラブ種入力手段で指定されたクラブ種に対応づけられた係数と、前記スピード計測手段で計測したスピードに基づいて、推定飛距離を算出する距離算出手段と、前記距離算出手段で求めた推定飛距離から、前記カップまでの残り距離を算出する手段と、その算出した残り距離を表示する表示手段と、を備える。【選択図】        図３
2010005289.tif 000002
【特許請求の範囲】
【請求項１】
ゴルフコースのホールレイアウトを提示する情報提示手段と、
前記情報提示手段で提示されるホールレイアウトに対応するホール情報として少なくともティーグランドからカップまでの距離情報を記憶するホール情報記憶手段と、
その情報提示手段で提示された前記ホールレイアウトを見て決定する使用するクラブ種を指定するクラブ種入力手段と、
ゴルフクラブのスイングに伴い移動するゴルフボールやクラブヘッドのスピードを計測するスピード計測手段と、
クラブ種入力手段で指定されたクラブ種に対応づけられた係数と、前記スピード計測手段で計測したスピードに基づいて、推定飛距離を算出する距離算出手段と、
前記距離算出手段で求めた推定飛距離から、前記カップまでの残り距離を算出する手段と、
その算出した残り距離を表示する残距離表示手段と、
を備えたことを特徴とするゴルフ支援装置。
【請求項２】
前記情報提示手段は、前記ゴルフコースのホールレイアウトを印刷した紙であることを特徴とする請求項１に記載のゴルフ支援装置。
【請求項３】
１つのホールをプレイしている場合、スイングによる計測を行う都度、打数を１打加算してそのホールの打数を求めると共に、求めた打数を表示する打数表示手段と、
前記ホール情報は、前記ティーグランドから前記カップまでの間を複数の領域に区分けし、その複数の領域の少なくとも１つをペナルティーエリアに設定し、前記求めた推定飛距離により推定されるボールの落下位置が、前記ペナルティーエリアに入った場合には、そのペナルティーエリアに設定されたペナルティーの数値を前記打数に加算すると共に、前記残り距離を修正する手段と、
を備えたことを特徴とする請求項１または２に記載のゴルフ支援装置。
【請求項４】
少なくとも前記情報提示手段を除く他の手段は、１または複数の防水構造の筐体に収納され、前記情報提示手段も防水構造とされていることを特徴とする請求項１から３のいずれか１項に記載のゴルフ支援装置。
【請求項５】
現在位置を検出する位置検出手段を備え、
前記スピード計測手段で求めた前記スイングに伴うスピードと、前記位置検出手段で検出した前記スピードを計測した位置と、を関連付けて記憶することを特徴とする請求項１から４のいずれか１項に記載のゴルフ支援装置。
【請求項６】
前記位置検出手段で求めたボールをショットした位置と、そのボールが飛んだ位置とに基づき、そのボールの飛距離を演算し、その算出した飛距離と、前記ショットしたときの前記ゴルフクラブのスイングに伴ない前記スピード検出手段で求めたスピードとを関連付けて記憶する手段を備えたことを特徴とする請求項５に記載のゴルフ支援装置。
【請求項７】
前記記憶された複数回分の前記ヘッドのスピードの統計処理から、自己の標準のヘッドスピードを算出し、その標準のヘッドスピードと、素振りのスイングから求めたヘッドスピードとを比較し、その日のコンディションを求める手段を備えたことを特徴とする請求項１〜６のいずれか１項に記載のゴルフ支援装置。
【請求項８】
前記求めたその日のコンディションから、その日の予想飛距離を算出するとともに予想飛距離表示手段に出力する機能を備えたことを特徴とする請求項７に記載のゴルフ支援装置。
【請求項９】
前記ホール情報記憶手段は、前記ホールレイアウトの地図情報を記憶しており、
前記情報提示手段として、前記ホール情報記憶手段に記憶されたホールレイアウトの地図情報に基づきホールレイアウトの地図を表示させる地図表示手段を備え、
前記距離算出手段で算出した推定飛距離に基づきボールの飛んだ予想位置をその地図上に描画する機能を備えたことを特徴とする請求項１から８のいずれか１項に記載のゴルフ支援装置。
【請求項１０】
前記スピード計測手段の一部または全部が、本体に対して分離されると共に着脱可能に構成されることを特徴とする請求項１から９のいずれか１項に記載のゴルフ支援装置。
【請求項１１】
前記分離された前記スピード計測手段の一部または全部が収納されるスピード計測部と、前記本体との両方に同じ通信プロトコルを使用する通信機能を設けたことを特徴する請求項１０に記載のゴルフ支援装置。
【請求項１２】
前記通信機能の通信インターフェースは、パーソナルコンピュータへの通信インターフェースと一部を共用することを特徴とする請求項１１に記載のゴルフ支援装置。
【請求項１３】
前記スピード計測部には、前記スピード計測手段の一部を実装し、スピードを求める演算処理は、前記本体に実装する演算処理部で行うことを特徴とする請求項１１または１２のいずれか１項に記載のゴルフ支援装置。
【請求項１４】
前記本体の下部に前記スピード計測部を配置することを特徴とする請求項１１〜１３のいずれか１項に記載のゴルフ支援装置。
【請求項１５】
前記本体に２次電池を配置するとともに、前記スピード計測部にその２次電池用の充電部を設け、
前記スピード計測部に外部から電源を供給した場合には前記充電部から前記２次電池に対する充電を行い、外部から電源を供給しない場合は、前記スピード計測部は前記２次電池を電源の作動することを特徴とする請求項１０〜１４のいずれか１項に記載のゴルフ支援装置。
【請求項１６】
前記スピード計測手段は、マイクロ波ドップラーセンサを利用することを特徴とする請求項１〜１５のいずれか１項に記載のゴルフ支援装置。
【発明の詳細な説明】
【技術分野】
【０００１】
本発明は、ゴルフ支援装置に関するものである。
【背景技術】
【０００２】
移動する被測定物の最大速度を測定する速度測定装置として、ドップラーセンサを用いたものが知られている。このドップラーセンサを用いた従来の速度測定装置では、被測定物は等速運動（車両など）あるいは減速運動（投げられたボールなど）をするものを対象としている。そのため、測定を開始してから最初に測定された速度データを最大速度として表示すれば実用上の問題は発生しなかった。これに対し、例えばゴルフクラブ等のスイング運動のように、速度０の状態から急激に加速し、ボールを打撃するポイントで最高速に達するといった被測定物が加速運動をする場合、ドップラーセンサの検知範囲に測定対象物が進入してきた瞬間がスイングの最大速度であるとは限らず、測定開始してから最初に測定された速度を表示する従来の方法ではスイングの最大速度を捕らえられないという問題があった。
【０００３】
係る問題を解決するため、従来、特許文献１，２に開示された発明がある。特許文献１に開示されたクラブヘッド速度及びテンポを測定するための小型レーダでは、ＲＦドップラーレーダを用い、速度を測定し続け、先に記憶された速度よりも速い任意の測定速度によって最大速度の記憶値を置き換えることで、速度の最大値を求めている。
【０００４】
また、特許文献２に記載のゴルフクラブの運動測定装置は、超音波センサでとらえたドップラー効果で変移した周波数の信号をウェーブレット変換により解析することで速度の最大値を求めている。
【０００５】
これら特許文献１，２に開示された技術は、スイングの速度、つまり、ヘッドスピードを求めるものであったが、ゴルフの練習のための装置としては、特許文献３に示された発明のように、使用者が実際にゴルフクラブをスイングしたときのスイング状態（ヘッドスピード等）を検出するスイング検出装置と、そのスイング検出装置で検出したスイング状態を取得し複数のゴルフコースの各ホールレイアウトなどに関するデータに基づいた打球の軌跡をシミュレーション表示する制御手段とを備えたナビゲーション装置も提案されている。
【特許文献１】特開２００６−３２６３１８号公報
【特許文献２】特開２００３−２１０６３８号公報
【特許文献３】特開平７−５７１８９号公報
【発明の開示】
【発明が解決しようとする課題】
【０００６】
特許文献１，２に開示された発明では、ヘッドスピード等を求めるものに過ぎず、ゴルファーにとって十分な情報提供ができない。すなわち、同じようにボールに当たるとすると、ヘッドスピードが速いほど飛距離も長くなる。しかし、言うまでもないが、ゴルフは飛ばせばよいというものではない。従って、上記の装置では、フルショットする場合の練習には良いが、落としどころを狙ってショットするような練習のためには、十分な情報を提供することができない。
【０００７】
一方、特許文献３に開示された発明は、もともと自動車に搭載されるナビゲーションシステムのオプションとして、開発され、上記のスイング検出装置をナビゲーションシステムの本体に接続することで、当該ナビゲーションシステムの制御部や表示装置を利用してシミュレーションを行うものである。そのため、装置構成が大型化して携帯に不向きであり、例えば、ゴルフ練習場に持って行きそこで練習する際に適切な支援情報を提供したりすることができない。
【０００８】
そこで、本発明は、簡易な構成で携帯に便利となり、適切な情報提供をすることができるゴルフ支援装置を提供することを目的とする。
【課題を解決するための手段】
【０００９】
上述した目的を達成するために、本発明に係るゴルフ支援装置は、（１）ゴルフコースのホールレイアウトを提示する情報提示手段と、前記情報提示手段で提示されるホールレイアウトに対応するホール情報として少なくともティーグランドからカップまでの距離情報を記憶するホール情報記憶手段と、その情報提示手段で提示された前記ホールレイアウトを見て決定する使用するクラブ種を指定するクラブ種入力手段と、ゴルフクラブのスイングに伴い移動するゴルフボールやクラブヘッドのスピードを計測するスピード計測手段と、クラブ種入力手段で指定されたクラブ種に対応づけられた係数と、前記スピード計測手段で計測したスピードに基づいて、推定飛距離を算出する距離算出手段と、前記距離算出手段で求めた推定飛距離から、前記カップまでの残り距離を算出する手段と、その算出した残り距離を表示する残距離表示手段と、を備えて構成した。
【００１０】
ユーザは、情報提示手段で提示されるホールレイアウトと、表示部に表示される残り距離から、使用するクラブを決定し、クラブ種入力手段（実施形態のクラブセレクトボタンＢ３に対応）を操作して設定したクラブを指定する。その後、ユーザは、スイング（パター以外のとき、ボールは打っても、打たなくても可）し、そのときのスピードとクラブ種に対応づけられた係数から推定飛距離を求める。残り距離から推定飛距離を減算すると、ショット後の残り距離が求められる。ユーザは、カップイン（残り距離が一定の距離以下になった場合には、ＯＫとしても良い）するまで繰り返し行う。残り距離を考えながら、クラブを選択し、スイングを調整することで、より実戦的な練習が行なえ、練習場においても、単純にボールを打つだけでないので、飽きることなく効率よく練習が行なえる。ホール情報が、ティーグランドからカップまでの距離情報とすることで、残り距離の算出・ホールアウトの管理が簡易に行なえると共に、複数のホールデータを持つようにしたとしても、メモリ容量は小さくて済む。
【００１１】
（２）前記情報提示手段は、前記ゴルフコースのホールレイアウトを印刷した紙とするとよい。このようにすると、本体に対するメモリの記憶容量を削減することができる。さらに、携帯での利便性を考えて全体的に小型にした結果、表示エリアが小さかったり、単色で安価なパネルで表示部を構成したりした場合、係る表示部にホールレイアウトの地図を表示すると、見にくくなるが、別途用意した紙媒体にホールレイアウトの地図を印刷したものを用いることで、見やすくなる。もちろん、情報提示手段は、電子機器等で構成しても良い。この場合、ゴルフ支援装置の本体（各種の算出手段や表示手段等を実装するもの）に一体化しても良いし、本体と別体に構成しても良い。
【００１２】
（３）１つのホールをプレイしている場合、スイングによる計測を行う都度、打数を１打加算してそのホールの打数を求めると共に、求めた打数を表示する打数表示手段と、前記ホール情報は、前記ティーグランドから前記カップまでの間を複数の領域に区分けし、その複数の領域の少なくとも１つをペナルティーエリアに設定し、前記求めた推定飛距離により推定されるボールの落下位置が、前記ペナルティーエリアに入った場合には、そのペナルティーエリアに設定されたペナルティーの数値を前記打数に加算すると共に、前記残り距離を修正する手段と、を備えるよい。ティーグランドからカップまでの間を複数の領域に区分けするレイアウトをとることで、複数の領域を持っても、ショットしたときの残り距離から、推定飛距離を減算するだけでボールの落下地点（どの領域に入るか）を求めることができる。また、ペナルティーエリアを設けることで、単純に残り距離のみでクラブ種の選択をすることができず、おもしろさが増す。「ペナルティーエリアに設定されたペナルティーの数値」としては、例えばペナルティーエリア毎に記憶しておいた数値を用いてもよいし、ペナルティーエリアの種類ごとに記憶しておいた数値を用いてもよい。また、例えば、プログラム内で一律に予め規定した数値としてもよい。
【００１３】
（４）少なくとも前記情報提示手段を除く他の手段は、１または複数の防水構造の筐体に収納され、前記情報提示手段も防水構造とされている（防水加工されている）ようにするとよい。
【００１４】
（５）現在位置を検出する位置検出手段を備え、前記スピード計測手段で求めた前記スイングに伴うスピードと、前記位置検出手段で検出した前記スピードを計測した位置と、を関連付けて記憶するようにするとよい。（６）前記位置検出手段で求めたボールをショットした位置と、そのボールが飛んだ位置とに基づき、そのボールの飛距離を演算し、その算出した飛距離と、前記ショットしたときの前記ゴルフクラブのスイングに伴ない前記スピード検出手段で求めたスピードとを関連付けて記憶する手段を備えるとよい。
【００１５】
このようにすると、例えば、実際のゴルフ場でプレイした場合に、各ショットを行う都度、本ゴルフ支援装置を用いてそのショットに基づく各種のスピード等の諸特性を求めると共に、位置検出手段により実際にショットした場所の位置を求め、スピード等の諸特性と関連付けて記憶することで、各ショットをした位置から、実際の飛距離を求めることができるし、そのプレイしたゴルフ場のコースレイアウトの電子地図データ（位置情報付）を用意すれば、その電子地図上にショット位置をマッピングすることができる。よって、プレイ後等において、そのコースにおけるプレイの解析・反省をするのに適する。
【００１６】
（７）前記記憶された複数回分の前記ヘッドのスピードの統計処理から、自己の標準のヘッドスピードを算出し、その標準のヘッドスピードと、素振りのスイングから求めたヘッドスピードとを比較し、その日のコンディションを求める手段を備えるとよい。（８）前記求めたその日のコンディションから、その日の予想飛距離を算出するとともに予想飛距離表示手段に出力する機能を備えるとよい。コンディションの良否が客観的にわかると、クラブ種を選択する場合や攻め方を決める際にそのコンディションの情報からその日の調子に合わせた適切な決定を行うことができるので好ましい。
【００１７】
（９）前記ホール情報記憶手段は、前記ホールレイアウトの地図情報を記憶しており、
前記情報提示手段として、前記ホール情報記憶手段に記憶されたホールレイアウトの地図情報に基づきホールレイアウトの地図を表示させる地図表示手段を備え、前記距離算出手段で算出した推定飛距離に基づきボールの飛んだ予想位置をその地図上に描画する機能を備えるとよい。このようにすると、例えばゴルフ練習場において、希望するゴルフ場でのプレイを疑似体験できることができる。
【００１８】
（１０）前記スピード計測手段の一部または全部が、本体に対して分離されると共に着脱可能に構成されるようにするとよい。もちろん、１つの本体内に収納することも可能である。（１１）（１０）の発明を前提とし、前記分離された前記スピード計測手段の一部または全部が収納されるスピード計測部と、前記本体との両方に同じ通信プロトコルを使用する通信機能を設けるとよい。（１２）（１１）の発明を前提とし、前記通信機能の通信インターフェースは、パーソナルコンピュータへの通信インターフェースと一部を共用するようにするとよい。（１３）スピード計測部を分離する発明を前提とし、前記スピード計測部には、前記スピード計測手段の一部を実装し、スピードを求める演算処理は、前記本体に実装する演算処理部で行うようにすると良い。（１４）スピード計測部を分離する発明を前提とし、前記本体の下部に前記スピード計測部を配置するとよい。
【００１９】
（１５）前記本体に２次電池を配置するとともに、前記スピード計測部にその２次電池用の充電部を設け、前記スピード計測部に外部から電源を供給した場合には前記充電部から前記２次電池に対する充電を行い、外部から電源を供給しない場合は、前記スピード計測部は前記２次電池を電源の作動するようにするとよい。
【００２０】
（１６）前記スピード計測手段は、マイクロ波ドップラーセンサを利用するようにするとよい。（１７）実際にゴルフ場でコースを廻った時のデータ（スイングスピードやボールスピードその他の諸特性等）と、練習でのデータ（スイングスピードやボールスピードその他の諸特性等）の両方をパソコンに取り込み、比較、分析するようにするとよい。これにより、実際のゴルフ場でのプレイが、練習通りにできているか否か、できていない場合にはどれくらいできていないかなどを認識することができる。クラブ種ごとに比較することで、クラブ種の得手／不得手等を認識できる。（１８）そして、ゴルフ場でコースを廻った時のデータを呼び出して表示し、練習時のボールやヘッドスピードと比較表示する機能を持つとよい。係る機能を備えると、上記の比較・分析がより容易に行なえる。
【発明の効果】
【００２１】
本発明では、簡易な構成で携帯に便利となり、単にヘッドスピードのみでなく、推定飛距離や残り距離などの適切な情報提供をすることができる。
【発明を実施するための最良の形態】
【００２２】
図１，図２は、本発明のゴルフ支援装置の利用状態の一例を示す図である。図１，図２（ａ）に示すように、ゴルフ支援装置１０は、ゴルフクラブ２をスイングするゴルファー１の後方所定位置に設置する。具体的な設置位置は、ゴルフ支援装置１０の検知範囲が、スイング中のゴルフクラブ２のヘッド２ａが最大速度で移動する地点を含むような位置である。一例としては、図１に示すように、ゴルフクラブ２のヘッド２ａの移動軌跡Ｋの最下点付近がボールＢに対するインパクト位置となり、通常、当該位置付近でヘッド２ａの移動速度は最大速度になるため、係る移動軌跡Ｋの最下点の接線Ｌ上であり、かつ、ゴルファー１の後方を設置位置とする。この場合のボールＢとゴルフ支援装置１０との距離は、約１ｍとしている。後述するように、このゴルフ支援装置１０には、ドップラーセンサが内蔵されているため、ドップラーセンサのアンテナの開口面１１ａが、ボールＢに正対する（接線Ｌ上を向く）ように設置される。
【００２３】
この設置位置は、使用クラブがパター以外のクラブの場合に対応するものであり、ボールＢは無くても良い。つまり、ゴルフ支援装置１０は、ボールＢをおいて実際に打った場合には、そのスイングする毎にヘッドスピードとボールスピードの両者を同時に測定し、ボールＢを置かない（置いていても実際に打たない）で素振りをした場合にはヘッドスピードのみ測定する。
【００２４】
一方、使用クラブがパターの場合には、図２（ｂ）に示すような設置位置をとる。つまり、ゴルファー１の斜め前、より具体的には、ゴルファー１から見てボールＢを基準として前側に約２０ｃｍ離れ、さらにボールＢの打ち出し方向に約２０ｃｍ先に進んだ位置にゴルフ支援装置１０をおく。そして、ゴルフ支援装置１０のアンテナの開口面１１ａを、ボールＢの転がり先の約１ｍの辺りに向くようにする。この利用態様では、ボールスピードを計測するため、ボールＢをおいて、ゴルファー１が実際に打つことが必須である。そして、ゴルフ支援装置１０のスピードの測定エリアが、ボールＢの転がり先の一定領域に設定され、その測定エリア内にパター２′のヘッド２′ａの移動軌跡がないので、ヘッドスピードの測定はできない。したがって、ボールの速度のみを測定する。
【００２５】
なお、図２は、ゴルファー１が右打ちの場合の例を示しており、左打ちのゴルファーの場合には、左右を反転した状態に設置することで対応できる。つまり、本実施形態のゴルフ支援装置は、右打ち／左打ちのいずれにも対応できる。
【００２６】
図３は、ゴルフ支援装置１０の外観を示す平面図であり、図４は、その内部構成を示すブロック図である。図３に示すように、ゴルフ支援装置１０は、防水加工（防水構造）が施された扁平な矩形の筐体２０の内部に、図４に示す各構成要素を収納して構成される。構成要素の一部は、筐体２０の外部に露出する。
【００２７】
図４に示すように、このゴルフ支援装置１０は、出力周波数が２４．１５ＧＨｚのマイクロ波ドップラーセンサ１１と、当該ドップラーセンサ１１の出力信号（１波がゴルフクラブのヘッドの６ｍｍの移動に相当する信号）を増幅するアンプ１２と、アンプ１２によって増幅された信号を基準値と比較し、ドップラーパルス（基準値以上の場合にハイレベルを基準値より小さい場合にはローレベルの信号）を出力するコンパレータ１３と、コンパレータ１３から出力されたパルス信号を入力し、アンプ１２によって増幅されたアナログ信号を内蔵するＡ／Ｄコンバータに入力して、スイングスピードを求めるマイクロコントローラ（制御部）１４と、マイクロコントローラ１４からの制御によってスイングスピード等の表示を行う表示部１５と、マイクロコントローラ１４に接続されたスイッチ群１６と、ＧＰＳ衛星から発せられるＧＰＳ信号を受信し、現在位置を検出するＧＰＳ受信機１７と、通信インターフェース１８と、を備える。らさに、ゴルフ支援装置１０は、内部メモリや、着脱可能な外部記録媒体（マイクロＳＤメモリカード等）等の記録メディアを備える。この記録メディアには、計測結果や機器の設定情報、仮想のゴルフコース並びに実際のゴルフコースのホールレイアウトを示すコースデータ等が記録される。実際のゴルフコースについてのデータは、例えばゴルフ場のグリーンやバンカー等コース上の対象物の位置、ゴルフ場の地図（位置情報を含む）がある。これらの情報は、例えば、特開平７−５７１８９号公報や、特開２００３−３３９９２９号公報に開示されたものと同様なものとすることができる。これにより、実際のゴルフコースでのプレイの軌跡を記録することができる。また、仮想のゴルフコースのホール情報を記憶しておくことで、仮想のゴルフコースを用いたゲームをすることかできる。
【００２８】
表示部１５は、ＬＣＤや有機ＥＬディスプレイ等から形成される。通信インターフェース１８は、パーソナルコンピュータ接続用の各種のインターフェースを用いることができる。例えば、ＵＳＢ等の有線のものや、Ｚｉｇｂｅｅ，Ｂｌｕｅｔｏｏｔｈ，無線ＬＡＮ等の無線のものを含む。この通信インターフェース１８を介して、パーソナルコンピュータとデータの送受が行える。データの送受の一例としては、例えば、ゴルフ支援装置１０が、ゴルフコースについてのデータをパーソナルコンピュータからダウンロードしたり、自己が記憶している計測データその他の履歴情報等をパーソナルコンピュータにアップロードしたりすることができる。また、着脱自在なＰＣで読み取り可能な記録媒体（マイクロＳＤメモリカード等）を装着可能とし、上記のデータのやり取りを、その記録媒体を介して行うようにしても良い。
【００２９】
筐体２０の前面２０ｂがアンテナの開口面１１ａとなり、筐体２０の後面２０ｃにはマイクロＳＤカードスロットが設けられている。また、筐体２０の裏面（下面）側には、電池収納部が設けられる。また、表示部１５並びにスイッチ群１６は、筐体２０の上面に露出する。スイッチ群１６は、本実施形態では、パワーボタンＢ１と、モードセレクトボタンＢ２と、クラブセレクトボタンＢ３と、ファンクションボタンＢ４の４つの操作ボタンを備えている。各操作ボタンＢ１〜Ｂ４が押下されると、その押下されたことがマイクロコントローラ１４に伝えられ、マイクロコントローラ１４が所定の処理を行う。
【００３０】
パワーボタンＢ１は、ゴルフ支援装置１０の電源のオン／オフを制御するためのもので、長押しにより、装置電源のオン／オフの切り替えを行うためのボタンである。マイクロコントローラ１４は、装置の電源が切れている状態で、パワーボタンＢ１が長押しされたことを認識すると、電源をオンにし、装置の電源が入っている状態で、パワーボタンＢ１が長押しされたことを認識すると、電源をオフにする制御を行う。
【００３１】
モードセレクトボタンＢ２は、モード切り替え指示をするためのボタンである。後述するように、本実施形態のゴルフ支援装置１０は、１スイングごとに、スイングに伴う諸特性を測定して表示する“測定モード”と、仮想ゴルフコースを想定して、ゲーム感覚で仮想ゴルフコースを回ることができる“トレーニングモード”とを有している。そこで、マイクロコントローラ１４は、このモードセレクトボタンＢ２が“長押し”されたことを認識すると、“測定モード”と“トレーニングモード”を交互に切り替える。そして、マイクロコントローラ１４は、現在のモードが“トレーニングモード”の場合、表示部１５の左上隅に”ＧＡＭＥ”のロゴを表示し、“測定モード”の時は、”ＧＡＭＥ”のロゴを表示しない。よって、ユーザは、”ＧＡＭＥ”のロゴの表示の有無により、現在トレーニングモード中か測定モード中かを認識することができる。また、測定モードの状態で実際のゴルフ場でプレイをしながら、そのプレイ中の各ショット（スイング）を測定して記録することで、実際のプレイの記録を行うことができる。
【００３２】
また、測定モードで求めることができる諸特性は、“ヘッドスピード”，“ボールスピード”，“推定飛距離”，“ミート率”である。ヘッドスピード並びにボールスピードは、ドップラーセンサの出力に基づいて求める。つまり、電源オンに伴い、ドップラーセンサ１１の出力をアンプ１２で増幅したアナログ波形をコンパレータ１３にてしきい値処理して符号化したドップラーパルスが、コンパレータ１３からマイクロコントローラ１４に入力される。マイクロコントローラ１４は、内蔵するカウンタを利用してドップラーパルスの周期を求め、移動体の速度を求める。移動体がヘッド２ａの場合、ヘッドスピードが求められ、移動体がボールの場合、ボールスピード（初速度）が求められる。この具体的な算出アルゴリズムは、例えば、特開平６−８６８４５号公報等に開示された技術の他、各種の算出アルゴリズムを用いることができる。
【００３３】
さらに、本装置ではゴルフクラブのスイング時におけるヘッドスピードの速度測定に特化するため、スイング開始から終了までの速度データをいったん蓄積し、その後蓄積されたデータからスイングの最大速度を算出するようにするとよい。
【００３４】
また、ボールを置かずに素振りのみをする場合には、マイクロコントローラ１４は、上記の公知のアルゴリズムにより、ヘッドスピードを簡単に求めることができる。さらに本実施形態では、ボールを実際に打った場合、マイクロコントローラ１４は、ボールスピードとヘッドスピードを同時に求める。これは、ゴルフクラブ２のスイングに伴うヘッド２ａの移動速度は、スイング開始から徐々に速度が早くなり、ボールに当たる前後付近で最大速度になり、その後、徐々に遅くなる。一方、ボールＢは、ゴルフクラブ２のスイング開始当初は、停止したままであるため移動速度は０となり、ヘッド２ａが当たって打ち出されることで、移動するため速度が増速する。そして、ヘッドスピードの速度変化のピークと、ボールスピードの速度変化のピークとは、ずれがある（ボールスピードのピークが遅れて発生する）。そこで、速度のピークが２つ生じることから、それぞれのスピードを求めることができる。具体的には、例えば、特開平６−８６８４５号公報等の技術を用いて両方のスピードを求めることができる。
【００３５】
また、図２（ｂ）に示すように、パターを用いた場合には、ドップラーセンサ１１の検知領域内に存在する移動体はボールのみであるので、マイクロコントローラ１４は、ドップラーセンサ１１の出力に基づいて、ボールスピードを求めることができる。
【００３６】
また、ミート率は、ヘッドスピードと、打ち出したボールのスピード（初速）に基づいて求めることができる。つまり、ボールをキレイに打ち抜くことができた（ミート率が高い）場合、ゴルフクラブ２のヘッド２ａがボールＢを潰しながら押し出し、ボールＢは自己の弾性復元力による反発力と、ヘッド２ａから受け取った慣性モーメントにより、ボールスピード（初速）は速くなる。一方、キレイに打ち抜くことができない（当たりが悪い：ミート率が小さい）場合、上記の反発力も小さいとともに、ヘッド２ａから受け取る慣性モーメントも小さく、ボールスピードも遅くなる。そこで、マイクロコントローラ１４は、
ミート率＝ボールスピード／ヘッドスピード
によりミート率を算出する。
【００３７】
また、推定飛距離は、実際にボールを打った場合には、ボールスピードと使用したクラブ種から飛距離を求め、素振りの場合にはヘッドスピードと使用したクラブ種から飛距離を求める。具体的には、予めクラブ種ごとにボールスピードに対する係数とベッドスピードに対する係数を設定しておき（クラブ種−係数のテーブル等を設ける）、ボールスピード或いはヘッドスピードに、クラブ種に対応する係数を乗じた値を推定飛距離とする。なお、ボールの有無は、マニュアル操作による手動によって指定しても良いし、各種のセンサを設け装置により自動的に認識するようにしてもよい。
【００３８】
また、モードセレクトボタンＢ２を“短押し”した場合、各モードにおけるパラメータやプレイスタイルを選択することもできる。測定モードの場合、モードセレクトボタンＢ２の“短押し”により、表示パラメータの選択を行う。すなわち、図３に示すように、表示部１５の下方領域に、７セグメントを利用した３桁の数値表示部位を２列用意し、上段をスピード（ヘッドスピード／ボールスピード）、下段を“推定飛距離”か“ミート率”のいずれかを表示する。よって、表示パターンとしては、“ヘッドスピード＆推定飛距離”，“ボールスピード＆ミート率”，“ボールスピード＆推定飛距離”の３種類が用意され、クラブ種でパター以外が選択されている場合、モードセレクトボタンＢ２の“短押し”により、”ヘッドスピード＆推定飛距離”もしくは”ボールスピード＆ミート率”のどちらかが交互に選択される。また、パターを選択した場合は強制的に”ボールスピード＆推定飛距離”のみとなる。
【００３９】
マイクロコントローラ１４は、現在表示している種類を表示部１５に報知する。つまり、上段では、“ＨＥＡＤＳＰＥＥＤ”と“ＢＡＬＬＳＰＥＥＤ”のいずれか一方を表示し、下段では、“ＭＥＥＴ”（ミート率の場合）と“ＤＩＳＴ”（推定飛距離の場合）のいずれか一方を表示する。
【００４０】
また、クラブセレクトボタンＢ３とモードセレクトボタンＢ２を同時押しした場合、マイクロコントローラ１４は、速度単位を切り替える。本実施形態で用意された速度表示単位は、“ｍ／ｓ”（メートル／秒）と“ｍｐｈ”（マイル／時）の２種類用意している。マイクロコントローラ１４は、選択された速度表示単位を表示部１５に表示する。
【００４１】
クラブセレクトボタンＢ３は、使用するクラブに合わせて、そのクラブ種を選択・指定するためのボタンである。これにより、コントローラ１４は、選択されたクラブ種とヘッドスピードやボールスピード等の情報から、推定飛距離を算出することができる。具体的には、コントローラ１４は、クラブセレクトボタンＢ３の“短押し”を認識すると、下記の順でクラブ種を巡回させる。
「１Ｗ→３Ｗ→５Ｗ→３Ｉ→４Ｉ→５Ｉ→６Ｉ→７Ｉ→８Ｉ→９Ｉ→Ｗ（ウエッジ）→Ｐｔ（パター）」
また、コントローラ１４は、このクラブ種の巡回に合わせて、表示部１５の右上のクラブ種表示エリアに、“Ｗ，Ｉ，ｔと７セグメント”を適宜用いて現在選択されているクラブ種を表示する。つまり、ウッド（１Ｗ，３Ｗ，５Ｗ）が選択されている場合には、“Ｗ”と選択された数字を表示し、アイアン（３Ｉ，４Ｉ，５Ｉ，６Ｉ，７Ｉ，８Ｉ，９Ｉ）が選択されている場合には、“Ｉ”と選択された数字を表示し、ウエッジ（Ｗ）が選択されている場合には、“Ｗ”のみを表示し、パター（Ｐｔ）が選択されている場合には、“ｔ”のみを表示する（７セグメントを使ってＰを併設表示しても可）。
【００４２】
このクラブ種は、推定飛距離算出の際、係数の参照条件となるため、スイング前に予め選択しておく。なお、Ｐｔ（パター）選択時は、推定飛距離の単位は自動的に”ｍ”（メートル）となる。
【００４３】
測定結果は、図示省略するメモリ（内部メモリ／マイクロＳＤメモリカード）に格納される。そこで、ファンクションボタンＢ４が“短押し”されると、マイクロコントローラ１４は、メモリに格納された過去の履歴を読み出して表示する“履歴表示“と、その過去の測定結果の平均値を求めそれを表示する”平均値表示“の２つの態様を切り替え表示する。また、モードセレクトボタンＢ２とファンクションボタンＢ４が同時に“長押し”された場合[0]、それまでの測定結果の履歴／スコアが全てクリアされる。
【００４４】
ここで、“平均値表示”は、下記の通り行う。測定スタンバイの状態にて、ファンクションボタンＢ４が短押しされた場合、装置内のメモリに記録された履歴（最大５００件分）の中から、選択したクラブ種の平均値を表示する。この場合、表示部１５に”ＡＶＥ．”のロゴが表示される。
【００４５】
すなわち、メモリには、例えば図５に示すように、測定モードで求めた諸特性についてクラブ種と関連付けたテーブル構造として記憶されている。素振りのようにボールスピードが求められないもの場合、“０”が格納される。そこで、“平均値表示”モードの時にクラブセレクトボタンＢ３が押下されて選択された表示対象のクラブ種の各諸特性を読み出し、各諸特性の項目ごとに、平均値を求める。このとき、“０”については、平均値の算出対象から除く。そして、モードセレクトボタンＢ２の操作により選択された表示パラメータで表示される項目について、マイクロコントローラ１４は、上記の求めた平均値を出力する。なお、一定期間（例えば、１０秒間）ボタン操作が無い場合は、測定スタンバイ表示に戻る。また、平均値表示中であっても、スイングした場合にはすぐさま測定を行う。
【００４６】
“履歴表示”モードは、以下のような処理をする。すなわち、平均値表示の状態にて、ファンクションボタンＢ４が“短押し”されたことをマイクロコントローラ１４が認識すると、マイクロコントローラ１４は、装置内のメモリに記録された履歴（最大５００件分）の中から、新しいものを１０件分まで読み出し、表示する。このとき、マイクロコントローラ１４は、表示部１５に”ＭＥＭ．”のロゴを表示する。そして、モードセレクトボタンＢ２の操作により選択された表示パラメータで表示される項目について、マイクロコントローラ１４は、上記の読み出した履歴を順次出力する。なお、一定期間（例えば、１０秒間）ボタン操作が無い場合は、測定スタンバイ表示に戻る。また、履歴表示中であっても、スイングした場合にはすぐさま測定を行う。
【００４７】
一方、マイクロコントローラ１４は、平均値表示もしくは履歴表示中において、モードセレクトボタンＢ２とファンクションボタンＢ４が同時に“長押し”され[0]るのを認識すると[0]、履歴をクリアする。平均値は、この履歴データから算出されるため、この操作により平均値もクリアされることになる。
【００４８】
ＧＰＳ受信器１７は、ＧＰＳ信号から現在位置を求め、その求めた現在位置の位置情報（経度，緯度）をマイクロコントローラ１４に送る。本実施形態では、このＧＰＳ受信器１７にて、実際のゴルフ場でのゴルフ支援装置１０の存在位置を計測する。ユーザ（ゴルファー１）は、実際のゴルフコースをプレイ中において、すべてのショットを測定モードのゴルフ支援装置１０を用いて計測する。マイクロコントローラ１４は、ＧＰＳ受信器１７から得た現在位置に基づき、各ショットをした位置を取得し、そのショットした位置と各ショットの諸特性等の計測データと関連付けてメモリに格納する。さらに、ゴルフ場名やホールナンバー、使用したクラブ等のデータと計測データを共に記憶させるようにするとよい。
【００４９】
また、前回ボールをショットした位置と、現在のボールの位置から、ボールの実際の飛距離がわかる。そこで、マイクロコントローラ１４は、ＧＰＳ受信器１７から取得した上記の各位置の位置データから、両者間の距離を算出し、ボールの飛距離を求める。現在のボールの位置は、通常ホールアウトするまでは今回のショット位置と同じになるので、特にショット前に現在のボールの位置を計測することなく、通常のボールを置いたショットの計測にともない取得できる今回のショット位置を利用する。つまり、マイクロコントローラ１４は、前回のショット位置と今回のショット位置に基づき、両者間の距離を算出する。これにより、正確な実際の飛距離がわかる。更にマイクロコントローラ１４は、このようにして求めた実際の飛距離と、ショット時のスピードデータ（前回のショット時のボールスピード／ヘッドスピード）との相関を統計して、表示部１５に表示したり、メモリに記憶したりする。
【００５０】
メモリに格納された位置データと、実際のゴルフコース（ホール）のデータ（位置データ付レイアウト）とに基づき、ショットした位置をゴルフコース（ホール）上にマッピングすることで、実際のゴルフコースをプレイした軌跡（各ショットをした地点）を、プレイ後等において正確に知ることができる。このようにショットした位置をマッピングしたゴルフコースのレイアウト図は、例えば、上記のデータを通信インターフェースやマイクロＳＤメモリカード等を用いてパーソナルコンピュータに送り、そのパーソナルコンピュータのモニタに表示するようにすると良い。また、そのようにパーソナルコンピュータのモニタに表示するようにする場合、ショット位置をゴルフコース上に関連付ける処理は、パーソナルコンピュータが行うようにしても良い。また、ゴルフ支援装置１０が、ゴルフコース（ホール）のレイアウトを表示部１５に表示する機能があれば、マイクロコントローラ１４は、上記のショット位置をマッピングしたゴルフコース（ホール）を表示部１５に表示するようにしても良い。
【００５１】
また、上記のように表示部にゴルフコース（ホール）を表示するとともに、ボールの位置をコース上に描画する機能を備えた場合、例えば、表示部１５に希望するゴルフコースの所望のホールの地図を表示させ、測定モードを用いてスイングに伴い算出した推定飛距離からボールの飛んだ予想位置を地図上に表示させるようにするとよい。このようにすると、例えばゴルフ練習場等において、希望するゴルフ場でのプレイを疑似体験できるので好ましい。
【００５２】
また、上述したように、本実施形態のゴルフ支援装置１０は、“平均値表示”モードにすることで、選択した条件（クラブ種，表示項目）についての平均値を知ることができる。そこで、例えば、コントローラ１４は、ヘッドスピードの平均値と、実際に測定モードで素振りをして求めたヘッドスピードとを比較（選択したクラブ種は同じが良い）し、その日のコンディションがわかる様に表示する機能を備える。このコンディションは、ヘッドスピードが、平均値と比べて“ほぼ同じ”／“遅い”／“速い”、のいずれであるかを求め、“通常通りのコンディション”／“通常よりも振りが遅いコンディション（調子が悪い）”／“通常よりも振りが速いコンディション（調子がよい）”のいずれかをマイクロコントローラ１４が判断して、その結果を表示する。この“同じ”／“遅い”／“速い”、のいずれに該当するかは、平均値に対して上下限のしきい値を設定し、そのしきい値の範囲内か否かにより弁別することができる。しきい値は、平均値に対して予め定めたマージン（±１０％等）により決定できる。また、単純に平均値を用いるのではなく、過去の履歴データから分布状況を求め統計的に範囲を定めても良い。さらに、この例では、コンディションを３つの区分に分けたが、４段階以上に分けてももちろん良い。
【００５３】
さらに、マイクロコントローラ１４は、上記のコンディションデータから、その日の予想飛距離を算出し、数値または地図上に表示する機能を備える。予想飛距離は、測定モードにおける素振り時のヘッドスピードにクラブ種の係数を掛けて求める推定飛距離ではなく、例えば、ヘッドスピードに基づいて求めたコンディションが、そのまま他の項目についても同じように影響が出るとすると、そのクラブ種における実際の飛距離の履歴データから求めた平均飛距離を基準にし、コンディションが悪い場合には、平均飛距離から所定長さだけ短くしたものを予想飛距離とし、コンディションがよい場合には、平均飛距離から所定長さだけ長くしたものを予想飛距離として求める。調整する所定長さは、一律同じにしても良いし、コンディションの程度、つまり、ヘッドスピードが平均値からＸ％ずれている場合には、所定長さも平均飛距離のＸ％或いはそれに適宜の係数を掛けたものとしてもよい。また、コンディションがよい場合には、ミート率も高くなり、コンディションが低くなるとミート率も低くなるとすると、素振りにともない求めたヘッドスピードにコンディションに合わせて調整したミート率を掛けることで、コンディションを加味したボールスピードを算出し、その算出したボールスピードに使用するクラブ種の係数を掛けることで予想飛距離を求めても良い。
【００５４】
次に、“トレーニングモード”について説明する。トレーニングモードは、仮想ゴルフコースを想定し、ゲーム感覚で仮想コースを回るもので、１〜１８ホールを１セットで回る”フルラウンド”と、任意に指定したホールで完結する”ホール指定”がある。このトレーニングモード時において、モードセレクトボタンＢ２が“短押し”された場合、マイクロコントローラ１４は、”フルラウンド”或いは”ホール指定”のプレイスタイルを選択する。なお、本実施形態では、ホールは、１８ホール用意しているので、ホール指定において実際にプレイするホール番号の指定も、このモードセレクトボタンＢ２を用いて行う。つまり、モードセレクトボタンＢ２を短押しする都度、“フルラウンド”→“ホール指定（１番）”→“ホール指定（２番）”→……“ホール指定（１８番）”→“フルラウンド”→……というように選択が切り替わる。もちろん、モードセレクトボタンＢ２の短押しでは”フルラウンド”と”ホール指定”とを交互に切り替えるようにし、”ホール指定”におけるプレイするホール番号の指定は、別の操作（例えば、ファンクションボタンＢ４の短押し）で行うようにしても良い。また、モードセレクトボタンＢ２が長押しされた場合、マイクロコントローラ１４は、測定モードに切り替える。
【００５５】
クラブセレクトボタンＢ３が短押しされた場合、マイクロコントローラ１４は、測定モードの時と同様に、クラブ種の選択を行う。また、クラブセレクトボタンＢ３が長押しされた場合には、打ち直しとする。
【００５６】
”フルラウンド”が選択されているときに、ファンクションボタンＢ４が短押しされた場合、マイクロコントローラ１４は、それまでのスコアを表示し、長押しされた場合には、スコアをクリアし、途中終了とする。“ホール指定”のときにファンクションボタンＢ４が押下された場合には、その処理は無効である。
【００５７】
また、トレーニングモードで使用する仮想コースのコースレイアウト（全１８ホール分）は、ゴルフ支援装置１０のメモリ（内部メモリ／着脱可能な外部メモリ（記録媒体））に格納しておき、表示部１５に表示するようにしても良いが、メモリ容量の削減並びに表示部１５の表示機能等を考慮し、取り扱い説明書中にコースレイアウト表を載せておき、ユーザはそれを見て確認するようにしても良い。本実施形態では、ゴルフ場の地図（コースレイアウト）は、ペーパー（紙）ベースとしている。つまり、コースレイアウトをユーザに示すための情報提示手段は、ゴルフ支援装置１０と分離した紙媒体としている。ある１つのホールのレイアウトの一例としては、図６に示すホールレイアウトとなる。そして、ユーザは、プレイするホールのレイアウト図を基にゲームを進めてゆく。また、ゴルフ支援装置１０が記憶するソフト上でのホールは、図６に示すように、単純に距離に応じて各ゾーンを区分けしている。
【００５８】
次に、トレーニングモードにおける実際のゲームの進め方を説明しつつ、各機能を説明する。まず、本装置を用いたゲームは、まず、測定モードの場合、ユーザは、モードセレクトボタンＢ２を長押ししてトレーニングモードに切り替える。この切り替えに伴い、マイクロコントローラ１４は、表示部１５に”ＧＡＭＥ”のロゴを表示する。
【００５９】
［プレイスタイル選択］
次に、プレイスタイルの選択が行われる。このトレーニングモードにおいてモードセレクトボタンＢ２が短押しされたことをマイクロコントローラ１４が認識すると、その短押しにともない”フルラウンド”／”ホール指定（ホール番号）”を選択する。”フルラウンド”と”ホール指定”のどちらが選択されているかは、たとえば、切り替え後、一定時間（例えば５秒間）表示されるオープニング画面を各プレイスタイルで変えることで、ユーザは確認できる。なお、フルラウンドの場合、１番ホールから順番にプレイし、そのホールが終了（カップイン／ＯＫ）した場合には、自動的に次のホールに切り替わる。
【００６０】
［ホール確認］
ユーザは、取り扱い説明書に印刷されたホールレイアウト図[0]と、表示部１５に表示された表示距離よりクラブ種を選択し、スイングすることで、プレイ対象の仮想のホールを回る。具体的には、マイクロコントローラ１４は、表示部１５の左上に、現在のホール番号を表示するので、ユーザは、その番号を確認し、取り扱い説明書に記されたホールレイアウト図を参照する。
【００６１】
［クラブ選択］
図６に示すように、仮想コースにはウォーターハザード，バンカーゾーン等のペナルティーエリアが存在するため、ユーザは、そのペナルティーエリアに入らないように自分の狙った飛距離にふさわしいクラブ種を決定し、クラブセレクトボタンＢ３を操作して使用するクラブ種を選択する。マイクロコントローラ１４は、選択されたクラブ種を、表示部１５の右上に表示する。さらに、マイクロコントローラ１４は、表示部１５の所定位置（下方に設定される下段の数値）に打数，残り距離等を表示する。
【００６２】
［スイング］
選択したクラブ種がＰＴ（パター）以外の場合には、図２（ａ）に示すような位置にゴルフ支援装置１０を置き、スイングをする。このとき、ボールの設置の有無は問わない。マイクロコントローラ１４は、ボールを打った場合にはボールスピードに基づいて推定飛距離を算出し、ボールを置かずに素振りをした場合にはヘッドスピードに基づいて推定飛距離を算出する。この推定飛距離の算出アルゴリズムは、測定モードにおけるそれと同じである。ボールを実際に打つ場合、例えば、打ちっ放しのゴルフ練習場や、自宅等に設置した練習用のゴルフネット等を利用する。ゴルフスピードに基づいて算出した推定飛距離の方が精度がよいので、より正確な飛距離に基づくゲームを行うことができる。また、クラブ種としてパターを選択した場合、図２（ｂ）に示すような位置にゴルフ支援装置１０を置き、スイングをする。このとき、ボールＢを置き、実際にボールを打つ。そして、マイクロコントローラ１４は、ボールスピードにクラブ種（パター）の係数を掛けて推定飛距離を算出する。
【００６３】
［結果の表示］
マイクロコントローラ１４は、ヘッドスピード或いはボールスピードに基づいて推定飛距離を算出すると、残り距離から算出した推定飛距離を減算して残り距離を求めるとともに、打数を“１打”加算する。マイクロコントローラ１４は、求めた残り距離並びに打数を表示部１５に表示する。また、現在位置に推定飛距離を加算したボールの停止地点（次のボールのショット位置）が、ウォーターハザードやＯＢといったペナルティーエリアの場合、マイクロコントローラ１４は、残り距離を数秒間点滅させた後で、打数にペナルティーを加算するとともに残り距離の修正を行い、修正後の打数・残り距離を表示する。残り距離は、ウォーターハザードに入った場合には、ウォーターハザードのティーグランド側の境界位置を次のボールのショット位置に設定し、そこからカップまでの距離を算出して求める。また、ボールがＯＢゾーンに入った場合、前のショット位置を次のショット位置に設定し、そこからカップまでの距離を修正後の残り距離とする。つまり、前回のショット時の残り距離（現在の残り距離に、前回のショットに伴う推定飛距離を加算した距離）が、修正後の残り距離となる。
【００６４】
［２打目以降］
上記の［クラブ選択］，［スイング］，［結果の表示］の処理を繰り返し行いながら、残り距離を縮めて行く。ボールの落下地点が、グリーンのエリアとなった（グリーンオンした）場合、マイクロコントローラ１４は、”ＮＩＣＥ ＯＮ”のロゴを表示部１５に点灯する。また、グリーン上では距離の単位は”ｙａｒｄ”から”ｍ”（メートル）に変わる。
【００６５】
［カップイン，ＯＫ］
残り距離が１ｍ以下になった場合、カップインとみなし、マイクロコントローラ１４は、表示部１５にカップインを表現する表示を数秒間行う。また、残り距離が１〜３ｍの範囲では”ＯＫ”（１打プラスでホールアウト）とし、マイクロコントローラ１４は、表示部１５にＯＫを表現する表示を数秒間行う。
【００６６】
［ホールアウト後］
”フルラウンド”を選択している場合には、ホールアウト後は、次の仮想ホールに移行する。つまり、マイクロコントローラ１４は、次のホールについてプレイするために必要なデータ（ホールを構成する各領域の位置等）を読み出し、ホール番号を表示部に表示する。以下、上記の［ホール確認］〜［カップイン，ＯＫ］までの各処理を適宜繰り返しながら実行し、これを１８ホール分行う。
【００６７】
なお、”カップイン”もしくは”ＯＫ”を表現する表示が行われている最中に、クラブセレクトボタンＢ３が長押しされた場合、そのホールのみ、結果がクリアされる。これにより、ユーザは、当該ホールについて第１打からプレイする（そのホールの打ち直しをする）ことができる。
【００６８】
一方、”ホール指定”を選択している場合、ホールアウトで完結する。そこで、別のホールをプレイする場合、ユーザは、ファンクションボタンＢ４の短押しによりプレイするホール番号を選択する。つまり、この状態（“ホール指定”でホールアウト）でファンクションボタンＢ４が短押しされたことをマイクロコントローラ１４が認識すると、そのマイクロコントローラ１４は、表示部１５に表示するホール番号を“１”インクリメントする。従って、ユーザは、ファンクションボタンＢ４を所定回数だけ短押しすることで、希望するホールを選び、クラブセレクトボタンＢ３の短押しにより、クラブ種を変更すると共にそのホールのプレイが始まる。また、再度同じホールをプレイしたい場合は、ファンクションボタンを押さずにクラブセレクトボタンＢ３を短押しすることによりそのホールのプレイが始まる。
【００６９】
その他の機能
［スコア表示］
フルラウンドプレイが選択されているときに、ファンクションボタンＢ４の短押しがあると、それを認識したマイクロコントローラ１４は、スコアを表示する。表示するスコアは、フルラウンドをプレイ中はそのラウンドのスコアであり、ラウンド中でない場合（コースを回っていない場合）はその時点での最新のラウンドスコアである。
【００７０】
１度目のファンクションボタンＢ４の短押しによりトータルスコアが表示され、もう一度押すと１ホール目のスコアが表示され、以降、順次ホールごとのスコアが表示され、全てのホールが表示されたら元の状態（ファンクションボタンＢ４が押下される前の状態）に戻る。
【００７１】
［スコアクリア，途中終了］
フルランドプレイが選択されているときに、ファンクションボタンＢ４の長押しがあると、それを認識したマイクロコントローラ１４は、記録されているスコアをクリアする。つまり、フルラウンドをプレイ中は、そこまでのスコアがクリアされるとともに１ホール目の１打目の状態に戻る。また、ラウンド中でない場合（コースを回っていない場合）は、最新のラウンドスコアがクリアされる。いずれの場合にも、マイクロコントローラ１４は、クリア処理が完了後、１秒間は７セグメントにより、”Ｓｃｒ  ＣＬｒ”の文字を表示する。
【００７２】
上述した実施形態では、１つの筐体２０内にスピード計測部となるドップラーセンサ１１を内蔵した構成を採っている。本発明は、これに限ることはなく、図７に示すように、スピード計測部２５を本体２１から分離でき、着脱可能な構造としてもよい。このとき、スピード計測部２５には、少なくとも図４に示すドップラーセンサ１１が内蔵されるが、アンプ１２さらにはコンパレータ１３を一緒に内蔵しても良い。特にコンパレータ１３までスピード計測部２５に実装した場合、本体２１とスピード計測部２５との間のデータ通信は、デジタル信号となるので好ましい。
【００７３】
このようにスピード計測部２５を分離した構成における本体２１の内部構造の一例としては、図７（ｃ）に示すようになり、スピード計測部２５の内部構成の一例としては、図７（ｄ）に示すようになる。図示するように、両者には通信インターフェース１８をそれぞれ内蔵し、通信インターフェース１８を介して両者間で必要なデータの送受を行う。また、図７（ｄ）に示す例では、マイクロコントローラ１４′を備え、スピード計測部２５内でボールスピードやヘッドスピードを求めるようにしたが、上述したように、このスピードの算出処理は、本体２１側のマイクロコントローラ１４で行っても良い。また、スピード計測部２５は、小型表示器１５′を備え、スイッチ１６′で設定した内容を表示したり、動作中か否かや測定結果（測定できたか否か，上記のようにスピード計測部２５内でスピードを算出するようにした場合には、算出したスピード等）を表示したりするようにした。なお、このような小型表示部１５′やスイッチ１６′を設け無くても良い。その場合に、本体２１に設けたスイッチ１６から与えられた指示を、通信インターフェース１８を介してスピード計測部２５に送るようにしても良い。
【００７４】
この形態では、スピード計測部２５内のドップラーセンサ１１から出力されるドップラー信号に基づく、スピード算出の演算処理やデータの記憶は、本体２１内の演算処理部（マイクロコントローラ１４）やメモリで行う。もちろん、スピード計測部２５側に移動体（ボール／クラブヘッド）の移動速度（スピード）を算出するための演算処理を実装しても良い。
【００７５】
スピード計測部２５と本体２１の位置関係であるが、本体２１の下側にスピード計測部２５を装着するようにすると良い。このようにすると、本体２１の上面全体を表示部１５やスイッチ群１６の設置に有効に利用できる。もちろん、スピード計測部２５を本体２１の下部以外の位置に取り付けるようにしても良い。
【００７６】
また、本体２１とスピード計測部２５の両方に通信機能を有し、両方同じ通信プロトコルを使用する。通信は、有線／無線のいずれにしてもよい。また、この場合の通信機能の通信インターフェースは、パーソナルコンピュータへの通信インターフェースと一部を共用するとよい。
【００７７】
トレーニングモードとしては、上述したような仮想ゴルフコースを回る仮想ラウンドモードのほかに、例えば、チャレンジモードを備えるようにするとよい。チャレンジモードとは、ゴルファー１が狙うべき飛距離をランダムに表示部１５に表示し、ゴルファー１がこの飛距離を狙ってクラブを選択してスイングするものである。そして、スイングの測定結果から飛距離を算出して表示部１５に表示する。このようにすることで、プレーヤーは、表示された２つの飛距離の差を知ることができ、狙った飛距離を得るためのスイングの練習を行うことができる。
【００７８】
上記の実施形態並びに変形例（スピード計測部の分離タイプ）における電源は、携帯に便利な乾電池（２次電池を含む）とした。そして、変形例において、本体２１に２次電池を使用し、スピード計測部２５に充電部を設けるとともに、スピード計測部２５が充電器または充電支持台を兼ねた構造とする。そして、スピード計測部２５に外部から電源を供給した場合に本体２１内の２次電池に対する充電器として作動し、外部から電源を供給しない場合は、本体２１の２次電池を電源にスピード計測部２５が作動するようにしてもよい。
【００７９】
図８は、更に別の実施形態を示している。すなわち、上述した実施形態並びに変形例では、ＧＰＳ受信器１７を設け、ゴルフ支援装置１０の設置位置を検出できるようにしたが、本発明は、必ずしも係る機能はなくて良い。つまり、図８と図４とを比較すると明らかなように、この実施形態では、上述した実施形態から位置検出機能を省略した。このように位置検出機能が無くても、トレーニングモードについては上述した実施形態と同様のものが実現でき、また、測定モードにおいても実際の飛距離を計測することはできない（実際のゴルフコースのプレイ中に収集したデータに基づき、ゴルフのプレイの状態（実際のショット位置の記録）を再現すること等はできない）ものの、それ以外の機能（諸特性の計測）は行うことができる。
【図面の簡単な説明】
【００８０】
【図１】利用態様の一例を示す図である。
【図２】利用態様の一例を示す図である。
【図３】本発明に係るゴルフ支援装置の好適な一実施形態の外観を示す平面図である。
【図４】本実施形態のゴルフ支援装置の内部構成を示すブロック図である。
【図５】メモリに記憶される計測データの一例を示す図である。
【図６】仮想ゴルフコースにおけるホールレイアウトと装置に記憶されるソフトウェア上のホールの一例を示す図である。
【図７】本発明に係るゴルフ支援装置の変形例を示す図である。
【図８】本発明に係るゴルフ支援装置の他の実施形態を示す図である。
【符号の説明】
【００８１】
１０  ゴルフ支援装置
１１  ドップラーセンサ
１２  アンプ
１３  コンパレータ
１４  マイクロコントローラ
１５  表示部
１６  スイッチ郡
２０  筐体
２１  本体
２５  スピード計測部
【図１】
2010005289.tif 000003
【図２】
2010005289.tif 000004
【図３】
2010005289.tif 000005
【図４】
2010005289.tif 000006
【図５】
2010005289.tif 000007
【図６】
2010005289.tif 000008
【図７】
2010005289.tif 000009
【図８】
2010005289.tif 000010